(57)【要約】【課題】外部から受信した画像データに基づいて生成したプリントデータを所定データ転送インターフェイスを介してプリンタ装置に転送して印刷処理を行わせる画像データ受信装置において、プリントデータの印刷処理中にプリンタ装置において印刷処理を中止する操作が行われた場合に、外部から受信した画像データが誤って消去されてしまうのを防止することができる画像データ受信装置を提供すること。【解決手段】外部から画像データを受信する手段と、受信した画像データに基づいてプリントデータを生成する手段と、プリントデータを所定データ転送インターフェースを介してプリンタ装置へ転送する手段と、プリンタ装置におけるプリントデータの印刷処理の完了を検出する手段と、印刷処理の完了を検出するまでの間、印刷中であることを報知するための表示を行う手段とを備える。【選択図】      図１
2005136819.tif 000002
【特許請求の範囲】
【請求項１】
外部から画像データを受信する受信手段と、受信した画像データに基づいてプリントデータを生成するプリントデータ生成手段と、生成されたプリントデータを所定データ転送インターフェースを介してプリンタ装置へ転送する転送手段と、前記プリンタ装置における前記プリントデータの印刷処理の完了を検出する検出手段と、少なくとも、前記転送手段によりプリントデータが転送されてから前記検出手段が前記印刷処理の完了を検出するまでの間、印刷中であることを報知するための表示を行う表示手段とを備えることを特徴とする画像データ受信装置。
【請求項２】
外部から画像データを受信する受信手段と、受信した画像データに基づいてプリントデータを生成するプリントデータ生成手段と、生成されたプリントデータを所定データ転送インターフェースを介してプリンタ装置へ転送する転送手段と、前記プリンタ装置における前記プリントデータの印刷処理の中止を検出する検出手段と、少なくとも前記プリンタ装置におけるプリントデータの印刷処理が完了するまで前記転送手段により前記プリンタ装置に転送されたプリントデータを格納しておく格納手段とを備え、
前記転送手段は、前記検出手段により前記印刷処理の中止が検出された場合に、前記格納手段に格納されているプリントデータを前記プリンタ装置へ再転送することを特徴とする画像データ受信装置。
【請求項３】
外部から画像データを受信する受信手段と、受信した画像データに基づいてプリントデータを生成するプリントデータ生成手段と、生成されたプリントデータと共に前記プリントデータの印刷処理の中止命令を無効にする無効コマンドを所定データ転送インターフェースを介してプリンタ装置へ転送する転送手段とを備えることを特徴とする画像データ受信装置。
【請求項４】
外部から画像データを受信する受信手段と、受信した画像データに基づいてプリントデータを生成するプリントデータ生成手段と、生成されたプリントデータと共にプリンタ装置が前記プリントデータの印刷処理の中止命令を受付けるか否かを判断するための暗証番号データを所定データ転送インターフェースを介して前記プリンタ装置へ転送する転送手段とを備えることを特徴とする画像データ受信装置。
【発明の詳細な説明】
【技術分野】
【０００１】
本発明は、画像データ受信装置に関し、詳しくは外部から画像データを受信すると共に、受信した画像データに基づいて生成したプリントデータを所定データ転送インターフェースを介してプリンタ装置に転送する画像データ受信装置に関するものである。
【背景技術】
【０００２】
原稿の画像を読取って得た画像データのファクシミリ送信中に、次にファクシミリ送信する原稿の画像を読取ってメモリに蓄積する、いわゆるデュアルアクセス機能を備えたファクシミリ装置がある。このデュアルアクセス機能を備えたファクシミリ装置では、他のファクシミリ装置と通信中であっても次の原稿の送信予約ができるため、無駄な待ち時間をなくすことができる。
【０００３】
このようなデュアルアクセス機能を備えたファクシミリ装置の中には、上記のデュアルアクセス機能により原稿のファクシミリ送信処理と次にファクシミリ送信する原稿の画像を読取ってメモリに蓄積する処理を同時に行っている際に、ユーザによって誤ってジョブキャンセルキーを連続して押下する誤操作がなされた場合に、ユーザの意に反してデュアルアクセス機能による上記の２つの処理が共に中止されてしまうのを防止する画像データ受信装置がある（例えば、特許文献１参照。）。
【０００４】
具体的には、ユーザによってストップキーが１回押下された場合に、次にファクシミリ送信する原稿の画像を読取ってメモリに蓄積する処理をまず中止すると共に直ちにジョブキャンセルキーの入力を所定時間禁止し、所定時間を経過した後に再度ジョブキャンセルキーが押下された場合にのみ実行中のファクシミリ送信処理についても処理を中止する。したがって、ユーザが誤ってストップキーを連続して押下したとしても、実行中のファクシミリ送信処理までも中止されてしまうのを防止することができる。
【０００５】
一方、原稿の画像を読取る機能、及び外部の装置からファクシミリ送信された画像データを受信するファクシミリ受信機能を備えた画像データ受信装置がある。この画像データ受信装置の中には、読取った原稿の画像データ又はファクシミリ受信した原稿の画像データを用紙に記録する印刷手段を備えていないものがある。このような画像データ受信装置では、例えば画像データに基づいてプリントデータを生成し、生成したプリントデータをＵＳＢケーブル等の所定データ転送インターフェースを介してプリンタ装置へ転送してプリンタ装置に印刷処理を行わせるようにしている。
【０００６】
このように、プリンタ装置に印刷処理を行わせる画像データ受信装置において、読取った原稿の画像データに基づいて生成したプリントデータをプリンタ装置に転送してからプリンタ装置における印刷処理が完了するまでの間に、プリンタ装置の備えるジョブキャンセルキーがユーザによって押下された場合、プリンタ装置はプリントデータの印刷処理を中止すると共にプリントデータを消去する処理を行う。
【特許文献１】特開平６−２７６３２４号公報
【発明の開示】
【発明が解決しようとする課題】
【０００７】
このように、ユーザが読取原稿の印刷中にジョブキャンセルキーを押下して印刷処理が中止されたとしても、原稿がユーザの手元にあるため、画像データ受信装置に再度原稿の画像を読取らせてプリンタ装置に印刷処理を行わせることができるが、ユーザがファクシミリ受信原稿の印刷中であることに気付かずジョブキャンセルキーの操作を行った場合、ユーザの意に反してファクシミリ受信原稿が消去されてしまうという問題点がある。
【０００８】
本発明は、かかる課題に鑑みてなされたものであり、外部から受信した画像データに基づいて生成したプリントデータを所定データ転送インターフェイスを介してプリンタ装置に転送して印刷処理を行わせる画像データ受信装置において、プリントデータの印刷処理中にプリンタ装置において印刷処理を中止する操作が行われた場合に、外部から受信した画像データが誤って消去されてしまうのを防止することができる画像データ受信装置を提供することを目的とする。
【課題を解決するための手段】
【０００９】
上記目的を達成するために、請求項１記載の画像データ受信装置は、外部から画像データを受信する受信手段と、受信した画像データに基づいてプリントデータを生成するプリントデータ生成手段と、生成されたプリントデータを所定データ転送インターフェースを介してプリンタ装置へ転送する転送手段と、前記プリンタ装置における前記プリントデータの印刷処理の完了を検出する検出手段と、少なくとも、前記転送手段によりプリントデータが転送されてから前記検出手段が前記印刷処理の完了を検出するまでの間、印刷中であることを報知するための表示を行う表示手段とを備えることを特徴としている。
【００１０】
請求項２記載の画像データ受信装置は、外部から画像データを受信する受信手段と、受信した画像データに基づいてプリントデータを生成するプリントデータ生成手段と、生成されたプリントデータを所定データ転送インターフェースを介してプリンタ装置へ転送する転送手段と、前記プリンタ装置における前記プリントデータの印刷処理の中止を検出する検出手段と、少なくとも前記プリンタ装置におけるプリントデータの印刷処理が完了するまで前記転送手段により前記プリンタ装置に転送されたプリントデータを格納しておく格納手段とを備え、前記転送手段は、前記検出手段により前記印刷処理の中止が検出された場合に、前記格納手段に格納されているプリントデータを前記プリンタ装置へ再転送することを特徴としている。
【００１１】
請求項３記載の画像データ受信装置は、外部から画像データを受信する受信手段と、受信した画像データに基づいてプリントデータを生成するプリントデータ生成手段と、生成されたプリントデータと共に前記プリントデータの印刷処理の中止命令を無効にする無効コマンドを所定データ転送インターフェースを介してプリンタ装置へ転送する転送手段とを備えることを特徴としている。
【００１２】
請求項４記載の画像データ受信装置は、外部から画像データを受信する受信手段と、受信した画像データに基づいてプリントデータを生成するプリントデータ生成手段と、生成されたプリントデータと共にプリンタ装置が前記プリントデータの印刷処理の中止命令を受付けるか否かを判断するための暗証番号データを所定データ転送インターフェースを介して前記プリンタ装置へ転送する転送手段とを備えることを特徴としている。
【発明の効果】
【００１３】
請求項１に記載の画像データ受信装置によれば、プリンタ装置に転送したプリントデータの印刷処理が完了するまでの間、画像データ受信装置の表示手段に受信原稿の印刷中であることを報知するための表示が行われるので、ユーザが外部から受信した画像データの印刷中であることに気付かず印刷中止のための操作が行われてしまうのを防止することができる。
【００１４】
請求項２に記載の画像データ受信装置によれば、少なくとも、受信した画像データに基づいて生成したプリントデータをプリンタ装置に転送してからプリンタ装置における印刷処理が完了するまでの間、受信した画像データのプリントデータが画像データ受信装置に格納されているので、プリンタ装置においてユーザによって印刷処理を中止する操作が行われたとしても、受信した画像データが消去されてしまうのを防止することができる。また、プリンタ装置において印刷処理が中止された場合には、再度プリントデータがプリンタ装置に転送されるので、受信した画像データの印刷処理を確実に行うことができる。
【００１５】
請求項３に記載の画像データ受信装置によれば、受信した画像データに基づいて生成したプリントデータと共にプリンタ装置における印刷処理の中止命令を無効にするための無効コマンドがプリンタ装置に転送されるので、画像データ受信装置は受信した画像データの印刷処理をプリンタ装置に確実に行わせることができる。
【００１６】
請求項４に記載の画像データ受信装置によれば、受信した画像データに基づいて生成したプリンタデータと共に暗証番号データがプリンタ装置に転送されるので、プリンタ装置においてユーザによって正しい暗証番号が入力された場合にのみ印刷動作の中止が許可される。したがって、ユーザのジョブキャンセルキーの押下のみで安易にプリントデータが消去されてしまうのを防止することができる。
【発明を実施するための最良の形態】
【００１７】
以下、本発明の第１の実施の形態に係る画像データ受信装置について、図面に基づき説明する。この画像データ受信装置１は、外部から受信した画像データに基づいてプリントデータを生成し、生成したプリントデータを所定のデータ転送インターフェースを介してプリンタ装置２２に転送する装置である。なお、本実施の形態においては、外部の装置からファクシミリ受信した画像データに基づいてプリントデータを生成し、生成したプリントデータ等をＵＳＢケーブル２４を介してプリンタ装置２２に転送する場合について説明する。
【００１８】
図１は、画像データ受信装置１の構成例を示したブロック図である。画像データ受信装置１は、図示するように制御部（ＭＰＵ：Microprocessing Unit）２、ＲＯＭ（Read Only Memory）３、ＲＡＭ（Random Access Memory）４、原稿読取部５、ページメモリ６、入力色変換回路７、出力色変換回路８、コーデック（ＣＯＤＥＣ：Coder and Decoder）９、画像メモリ１０、操作部１１、表示部１２、通信部１３、ＰＤＬ変換回路１４、及びＵＳＢホストコントローラ１５を備えたものであって、各部２乃至１５は、バス１６によって通信可能に接続されている。
【００１９】
制御部２は、ＲＯＭ３に格納されている制御プログラムに従って、この画像データ受信装置１を構成する各部を制御する。ＲＯＭ３は前記制御プログラムを格納している。ＲＡＭ４は、制御部２の主メモリ、ワークエリア等として機能し、ファクシミリ番号などの他に、表示用データ及び表示コマンドが格納されている。ここで、表示用データは、画像データ受信装置１がファクシミリ受信した画像データに基づいて生成されたプリントデータがプリンタ装置２２に転送されてからプリンタ装置２２における前記プリントデータの印刷処理が完了するまでの間、印刷中であることを報知するための表示を表示部１２に行わせるためのものであり、表示コマンドは、プリンタ装置２２において同様の表示を行わせるためのコマンドである。
【００２０】
原稿読取部５は、原稿の画像を走査して画像データとして読み取るものであり、カラー原稿の画像を読み取ることができる機構を備えたものである。原稿読取部５は、カラーラインセンサ（ＣＣＤ：Charge Coupled Device）、Ａ／Ｄコンバータ、画像処理回路等を具備し、カラーラインセンサにより原稿の画像を読取って、Ａ／Ｄ変換及び、シェーディング補正、ずれ／ライン補正等の画像処理を施したＲＧＢ表色系（RGB color system）の画像データを生成し、所定の出力先へ出力する。ページメモリ６は、原稿読取部５で読み取られた画像データ等を一時的に格納する。
【００２１】
入力色変換回路７は、原稿読取部５から出力されたＲＧＢ表色系の画像データをＹＣｒＣｂ表色系の画像データ又はＬ*ａ*ｂ*表色系の画像データに変換し、さらに拡大／縮小、地色補正等の画像処理を施す。また、入力色変換回路７には、多値メモリコントローラ（不図示）が実装されており、多値メモリコントローラは、制御部２の制御命令に従って前記表色系に変換された画像データをページメモリ６の多値領域に張り付けたり、ページメモリ６の多値領域に張り付けられている画像データをコーデック９、出力色変換回路８又は、コーデック９を介さずに画像メモリ１０へ出力する。
【００２２】
出力色変換回路８は、入力色変換回路７が出力したＬ*ａ*ｂ*表色系の画像データに対して各成分１ビットのＣＭＹＫの出力色表色系の画像データに変換した後、誤差拡散処理等を行って二値化する処理を行う。また、出力色変換回路８には、二値メモリコントローラ（不図示）が実装されており、二値メモリコントローラは、制御部２の制御命令に従って前記二値化された画像データをページメモリ６の二値領域に張り付けたり、ページメモリ６の二値領域に張り付けられている画像データをコーデック９又はコーデック９を介さずに画像メモリ１０へ出力する。
【００２３】
コーデック９は、多値メモリコントローラ又は二値メモリコントローラによってページメモリ６から読み出された画像データをＪＰＥＧ（Joint Photographic Experts Group）、ＭＨ（Modified Huffman）、ＭＲ（Modified Read）、ＭＭＲ（Modified Modified Read）、ＪＢＩＧ（Joint Bi-level Image Group）方式等により圧縮符号化し、ファクシミリ受信した画像データ等を復号する。
【００２４】
画像メモリ１０は、外部の装置からファクシミリ受信した画像データ、ページメモリ６から読み出されてコーデック９によって圧縮符号化された画像データ、入力色変換回路７若しくは出力色変換回路８から圧縮符号化されずに直接出力された画像データを格納する。なお、ＰＤＬ変換回路１４において生成されたプリントデータがファクシミリ受信した画像データに基づいて生成されたものである場合には、生成されたプリントデータは、ＵＳＢを介してプリンタ装置２２に転送されると共に、画像メモリ１０に格納される。具体的には、ＵＳＢを介してプリンタ装置２２に転送されたものと同一のプリントデータがプリンタ装置２２におけるプリントデータの印刷処理が完了するまで画像メモリ１０に格納される。したがって、画像メモリ１０が格納手段として機能する。なお、この画像メモリ１０に格納されたプリントデータは、プリンタ装置２２において印刷処理が中止された場合に再転送されるものであるが、ファクシミリ受信した画像データを画像メモリ１０にそのまま格納しておき、プリンタ装置２２において印刷処理が中止された場合に、ファクシミリ受信した画像データからプリントデータを生成してプリンタ装置２２に転送するようにしてもよい。
【００２５】
操作部１１は、原稿読取部５に原稿の読取開始を指示するためのスタートキー、ファクシミリ番号等を入力するためのテンキー、各種設定を行うためのカーソルキーなど、表示部１２と連動した各種操作キーを備えている。表示部１２は、各種の設定状態や画像データ受信装置１の動作状態などを文字や図形などで表示する液晶表示装置（ＬＣＤ：Liquid Crystal Display）１７や、点灯又は消灯で表示するＬＥＤランプ１８などを備えている。なお、液晶表示装置１７は、外部の装置からファクシミリ受信した画像データに基づいて生成されたプリントデータがプリンタ装置２２に転送されてからプリンタ装置２２におけるプリントデータの印刷処理が完了するまでの間、印刷中であることをユーザに報知するための表示を行う表示手段として機能する。具体的には、制御部２によってＲＡＭ４から読み出された表示用データに基づくメッセージを表示する。
【００２６】
通信部１３は、モデム１９及びＮＣＵ（Network Control Unit）２０を備えており、外部から画像データを受信する受信手段として機能する。モデム１９は、例えばＩＴＵ−Ｔ（国際電気通信連合電気通信標準化部門）の勧告Ｖ．３４規格又はこれと同様のものに従った送受信データの変調及び復調を行うものである。ＮＣＵ２０は、電話回線を制御して電話をかけたり、切ったりする回線網制御装置であり、ＰＳＴＮ（Public Switched Telephone Network）２１に接続されている。
【００２７】
ＰＤＬ変換回路１４は、画像メモリ１０に格納された画像データを、例えばPostScriptなどのＰＤＬ（Page Description Language）に変換してプリントデータ（ＰＤＬデータ）を生成する処理を行うものであり、ファクシミリ受信した画像データを復号するコーデック９及び復号されて画像メモリ１０に格納された画像データに基づいてプリントデータを生成するＰＤＬ変換回路１４がプリントデータ生成手段として機能する。なお、原稿読取部５で読取られた原稿の画像データをプリンタ装置２２に転送して印刷する場合にも、原稿の画像データに基づいてプリントデータを生成する処理がこのＰＤＬ変換回路１４において行われる。
【００２８】
ＵＳＢホストコントローラ１５は、ＵＳＢ（Universal Serial Bus）のホストコントローラ機能を実行するものである。また、ＵＳＢホストコントローラ１５にはＵＳＢポート２３が設けられており、これにＵＳＢケーブル２４の一端が接続されることによりＵＳＢ（所定データ転送インターフェース）が形成される。そして実際にＵＳＢケーブル２４によりプリンタ装置２２と接続されると、ＵＳＢホストコントローラ１５は、接続されたことを電気的に検出し、接続先デバイスであるプリンタ装置２２との間でネゴシエーションを行って同プリンタ装置２２の識別情報を取得するようになっている。このように、プリンタ装置２２と通信可能に接続された画像データ受信装置１において、プリンタ装置２２へプリントデータ、表示コマンド等を転送するためのＵＳＢ及びこれらのデータ転送を制御する制御部２が転送手段として機能する。
【００２９】
なお、画像データ受信装置１がＵＳＢ（ケーブル）を介してプリンタ装置２２にプリントデータを転送すると、そのプリントデータの印刷処理の結果としてプリンタ装置２２から印刷完了情報又は印刷中止情報がＵＳＢ（ケーブル）を介して画像データ受信装置１へ転送される。ここで、印刷完了情報は、画像データ受信装置１からＵＳＢを介して転送されたプリントデータの印刷処理が完了したことを画像データ受信装置１に通知するための情報である。印刷中止情報は、画像データ受信装置１から転送されたプリントデータの印刷処理が途中で中止されたことを画像データ受信装置１に通知するための情報である。したがって、このプリンタ装置２２から転送された印刷完了情報又は印刷中止情報を受信するためのＵＳＢ及び受信した情報に基づいて印刷の完了又は印刷の中止を判断する制御部２が検出手段として機能する。また、ＵＳＢホストコントローラ１５としては、ＵＳＢ−ＩＦ（Implement Forum）が公開している規格であるＯＴＧ（On-The-Go）を搭載したコントローラ等もある。
【００３０】
上記構成を備えた画像データ受信装置１によれば、ファクシミリ機能によって画像データを他のＧ３ファクシミリ装置（不図示）とファクシミリ送受信することができるようになっている。なお、この画像データ受信装置１は、原稿読取部５で読取られた原稿の画像データ又は他のファクシミリ装置等からファクシミリ受信した画像データの画像を用紙に印刷する印刷手段を備えていない。したがって、この画像データ受信装置１では、前記原稿の画像データ又はファクシミリ受信した画像データに基づいてプリントデータを生成し、生成したプリントデータをＵＳＢケーブル２４を介してプリンタ装置２２に転送することにより、プリンタ装置２２に印刷処理を行わせるようになっている。
【００３１】
以下、画像データ受信装置１から転送されたプリントデータの印刷処理を行うプリンタ装置２２について説明する。図２は、プリンタ装置２２の構成例を示したブロック図である。プリンタ装置２２は、図示するように制御部（ＭＰＵ）２６、ＲＯＭ２７、ＲＡＭ２８、入力回路２９、画像メモリ３０、ＰＤＬ展開回路３１、プリント部３２、操作部３３、及び表示部３４を備えたものであって、各部２６乃至３４は、バス３５によって通信可能に接続されている。
【００３２】
制御部２６は、ＲＯＭ２７に格納されている制御プログラムに従って、このプリンタ装置２２を構成する各部を制御する。ＲＯＭ２７は前記制御プログラムを格納している。ＲＡＭ２８は、制御部２６の主メモリ、ワークエリア等として機能する。
【００３３】
入力回路２９は、画像データ受信装置１からＵＳＢケーブル２４を介して転送されたプリントデータを受信する回路である。画像メモリ３０は、画像データ受信装置１から受信したプリントデータ及びＰＤＬ展開回路３１において展開されたビットマップデータを一時的に格納する。ＰＤＬ展開回路３１は、画像メモリ３０に格納されたプリントデータをビットマップデータに展開する処理を行うものであり、画像データ受信装置１のＰＤＬ変換回路１４において変換されたプリントデータのＰＤＬに対応してプリントデータを展開可能な回路である。このＰＤＬ展開回路３１において展開されたビットマップデータは、画像メモリ３０の所定領域に一旦格納された後、１ページ分毎にプリント部３２へ出力される。
【００３４】
プリント部３２は、画像メモリ３０に格納されたビットマップデータの画像を１ページ単位で用紙に記録するものである。このプリント部３２の記録方式としては、例えば、電子写真方式やインクジェット記録方式等の各種の記録方式を用いることができる。このプリント部３２におけるプリントデータの印刷処理が完了した後、制御部２６はその旨を報知するための印刷完了情報をＵＳＢ２４を介して画像データ受信装置１に転送する。なお、操作部３３のジョブキャンセルキーがユーザによって押下された場合には、印刷中止情報が制御部２６の制御命令に従って画像データ受信装置１に転送される。
【００３５】
操作部３３は、ユーザが情報を入力する入力キーなど、表示部３４と連動した各種操作キーを備えている。なお、操作部３３は、入力キーとして、プリントデータの印刷予定をキャンセルしたり実行中の印刷処理を途中で中止させるためのジョブキャンセルキーを備えている。画像データ受信装置１からプリントデータが転送された後にこのジョブキャンセルキーがユーザによって押下されると、このプリンタ装置２２の各部において実行中の印刷処理は中止され、印刷予定はキャンセルされる。
【００３６】
表示部３４は、各種の設定状態やプリンタ装置２２の動作状態などを文字や図形などで表示する液晶表示装置３６や、点灯又は消灯で表示するＬＥＤランプ３７、各種警告音を鳴動するスピーカ３８などを備えている。なお、このプリンタ装置２２が画像データ受信装置１からプリントデータと共に表示コマンドを受信した場合、液晶表示装置３６は、該表示コマンドに従って所定の情報を表示する。具体的には、画像データ受信装置１がファクシミリ受信した画像データに基づいて生成されたプリントデータの画像を印刷する場合に、ファクシミリ受信した画像データの印刷処理実行中であることをユーザに報知するための情報を表示する。
【００３７】
上記のように構成されたプリンタ装置２２では、ＵＳＢケーブル２４を介して画像データ受信装置１から受信したプリントデータは、画像メモリ３０に一旦蓄積された後、ＰＤＬ展開回路３１においてビットマップデータに変換する処理が行われる。このようにしてＰＤＬ展開回路３１で展開されたビットマップデータは、画像メモリ３０に再度格納された後、１ページ単位でプリント部３２へと出力され、該プリント部３２においてその画像が用紙に記録されるようになっている。このようにして、画像データ受信装置１において、原稿読取部５で読取られた読取原稿のプリンタデータ、又はファクシミリ受信した画像データのプリントデータの画像が用紙に記録される。
【００３８】
以下、原稿読取部５で読取られた原稿の画像データに基づいてプリントデータを生成し、生成したプリントデータをＵＳＢケーブル２４を介してプリンタ装置２２に転送する画像データ受信装置１において行われる処理動作、及び画像データ受信装置１から転送されたプリントデータの印刷処理を行うプリンタ装置２２において行われる処理動作について、図３及び図４に示すフローチャートに基づいて説明する。なお、画像データ受信装置１における処理動作は、制御部２の制御命令に従って行われるものであり、プリンタ装置２２における処理動作は、制御部２６の制御命令に従って行われるものである。
【００３９】
画像データ受信装置１の制御部２は、操作部１１からの所定操作が行われたか否かに基づいて、原稿読取部５に原稿の画像を読取らせてその画像をプリンタ装置２２において用紙に記録させるコピー開始の指示入力が行われたか否かを判断する（Ｓ１）。そして、コピー開始の指示入力が行われたと判断した場合（Ｓ１：ＹＥＳ）、原稿の画像を読取り、所定の画像処理を施してプリントデータを生成する（Ｓ２）。例えば、原稿読取部５でカラー原稿の画像を読取った場合、原稿読取部５で読取られて出力されたＲＧＢ表色系のカラー画像データを入力色変換回路７においてＬ*ａ*ｂ*表色系のカラー画像データへと変換して拡大／縮小、地色補正等の画像処理を施し、該表色系のカラー画像データを順次画像メモリ１０へと出力して該画像メモリ１０に蓄積させる。そして、画像メモリ１０に蓄積されたカラー画像データをＰＤＬ変換回路１４において変換して所定のＰＬＤによって表されるプリントデータを生成する。
【００４０】
制御部２は、このようにして生成された読取原稿のプリントデータと共に表示コマンドをＵＳＢケーブル２４を介してプリンタ装置２２に転送する処理をＵＳＢホストコントローラ１５に行わせる（Ｓ３）。それに伴い、読取原稿の印刷中である旨の情報を液晶表示装置１７に表示させる（Ｓ４）。具体的には、ＲＡＭ４に格納されている表示用データを読み出して、例えば「コピープリント中です」等のメッセージを表示させる。
【００４１】
一方、プリンタ装置２２の制御部２６は、画像データ受信装置１から転送された読取原稿のプリントデータ及び表示コマンドを受信すると（Ｓ１１）、読取原稿のプリントデータの印刷処理を開始する（Ｓ１２）。ここで、印刷処理は、画像メモリ３０に格納されたプリントデータをＰＤＬ展開回路３１においてビットマップデータに展開し、１ページ毎にプリント部３２で用紙に記録する処理である。そして、Ｓ１２の印刷処理を行うと共に、表示コマンドに基づいて液晶表示装置３６に情報を表示させる（Ｓ１３）。具体的には、「コピープリント中です」等のメッセージを表示させる。
【００４２】
続いて、制御部２６は、操作部３３のジョブキャンセルキーが押下されたか否かに基づいて印刷中止命令が入力されたか否かを判断する（Ｓ１４）。ここで、印刷中止命令が入力されていないと判断した場合には（Ｓ１４：ＮＯ）、Ｓ１２において開始したプリントデータの印刷処理が完了したか否かを判断し（Ｓ１５）、完了したと判断した場合には（Ｓ１５：ＹＥＳ）、印刷完了情報を画像データ受信装置１に転送する（Ｓ１６）。また、印刷処理が完了していないと判断した場合には（Ｓ１５：ＮＯ）、Ｓ１３の処理を継続して行う。
【００４３】
一方、制御部２６は、Ｓ１４において印刷中止命令が入力されたと判断した場合（Ｓ１４：ＹＥＳ）、すなわちユーザによって操作部３３のジョブキャンセルキーが押下されたと判断した場合、印刷処理を中止する（Ｓ１７）。そして、印刷処理を中止したことを画像データ受信装置１に通知するために印刷中止情報を画像データ受信装置１に転送する（Ｓ１８）。
【００４４】
これに対し、画像データ受信装置１の制御部２は、Ｓ４の処理後プリンタ装置２２から印刷中止情報を受信したか否か判断し（Ｓ５）、印刷中止情報を受信した場合には（Ｓ５：ＹＥＳ）、液晶表示装置１７を待機画面に戻して処理を終了する。逆に、印刷中止情報を受信していない場合には（Ｓ５：ＮＯ）、印刷完了情報を受信したか否かを判断する（Ｓ６）。すなわち、プリンタ装置２２に転送した読取原稿のプリントデータの印刷処理が完了したか否かを判断する。ここで、印刷完了情報を受信していないと判断した場合には（Ｓ６：ＮＯ）、Ｓ４の処理を継続して行う。
【００４５】
以上説明したように、画像データ受信装置１の原稿読取部５で読取られた読取原稿のプリントデータをＵＳＢケーブル２４を介してプリンタ装置２２に転送して、プリンタ装置２２において印刷処理を行う場合、プリンタ装置２２の操作部３３のジョブキャンセルキーがユーザによって押下されると、プリンタ装置２２ではプリントデータの印刷処理が中止される。ここで、プリンタ装置２２において印刷処理が中止されたプリントデータは、ユーザが画像データ受信装置１の原稿読取部５によって読取られた画像データに基づいて生成されたものであるため、例え印刷処理が中止されてプリントデータが消去されたとしても原稿が存在するので、印刷を行いたい場合には再度原稿の画像を読取らせればよい。しかしながら、プリントデータが外部からファクシミリ受信した画像データに基づいて生成されたものである場合には、ユーザの手元に原稿がないため、プリンタ装置２２において印刷処理が中止されてプリントデータが消去されると、ユーザは外部から送信されたファクシミリ原稿の内容を確認できないという問題が生じる。
【００４６】
以下、本実施形態に係る画像データ受信装置１において、外部からファクシミリ送信された画像データを受信すると共に受信した画像データに基づいてプリントデータを生成し、該プリントデータをＵＳＢケーブル２４を介してプリンタ装置２２に転送して印刷処理を行う場合に、画像データ受信装置１及びプリンタ装置２２において行われる処理動作について、図５及び図６に示すフローチャートに基づいて説明する。
【００４７】
画像データ受信装置１の制御部２は、外部からファクシミリ送信された画像データを受信したか否かを判断する（Ｓ２１）。そして、外部からファクシミリ送信された画像データを受信したと判断した場合（Ｓ２１：ＹＥＳ）、受信した画像データに基づいてプリントデータを生成する（Ｓ２２）。具体的には、受信して画像メモリ１０に一時的に蓄積された画像データをコーデック９において復号し、復号した画像データを画像メモリ１０の所定領域に一旦格納し、画像メモリ１０に格納された画像データをＰＤＬ変換回路１４において変換して所定のＰＬＤによって表されるプリントデータを生成する。
【００４８】
続いて、制御部２は生成されたプリントデータを画像メモリ１０の所定領域に格納する処理を行う（Ｓ２３）。そして、ＰＤＬ変換回路１４で生成されたプリントデータと共に表示コマンドをＵＳＢケーブル２４を介してプリンタ装置２２に転送する処理をＵＳＢホストコントローラ１５に行わせる（Ｓ２４）。それに伴い、ファクシミリ受信原稿の印刷中である旨の情報を液晶表示装置１７に表示させる（Ｓ２５）。具体的には、ＲＡＭ４に格納されている表示用データを読み出して、「ファクシミリ受信原稿のプリント中です」等のメッセージを表示させる。なお、Ｓ２３で画像メモリ１０に格納されたプリントデータは、Ｓ２４においてプリンタ装置２２に転送されるプリントデータと同一のデータであり、このプリントデータはプリンタ装置２２における印刷処理が完了するまでは画像メモリ１０の所定領域にそのまま格納される。
【００４９】
一方、プリンタ装置２２の制御部２６は、画像データ受信装置１から転送されたファクシミリ受信原稿のプリントデータと共に表示コマンドを受信すると（Ｓ３１）、ファクシミリ受信原稿のプリントデータの印刷処理を開始する（Ｓ３２）。そして、Ｓ３２の印刷処理を行うと共に、表示コマンドに基づいて液晶表示装置３６に情報を表示させる（Ｓ３３）。ここでは、画像データ受信装置１から転送されたプリントデータは、該画像データ受信装置１が外部からファクシミリ受信した画像データに基づいて生成されたものであるため、例えば「ファクシミリ受信原稿のプリント中です」等のメッセージを表示させる。
【００５０】
続いて、制御部２６は操作部３３のジョブキャンセルキーが押下されたか否かに基づいて、印刷中止命令が入力されたか否かを判断する（Ｓ３４）。ここで、印刷中止命令が入力されていない場合には（Ｓ３４：ＮＯ）、Ｓ３２において開始したプリントデータの印刷処理が完了したか否かを判断し（Ｓ３５）、完了したと判断した場合には（Ｓ３５：ＹＥＳ）、印刷完了情報を画像データ受信装置１に転送する（Ｓ３６）。また、印刷処理が完了していないと判断した場合には（Ｓ３５：ＮＯ）、Ｓ３３の処理を継続して行う。
【００５１】
一方、制御部２６はＳ３４において印刷中止命令が入力されたと判断した場合（Ｓ３４：ＹＥＳ）、すなわちユーザによって操作部３３のジョブキャンセルキーが押下されたと判断した場合、印刷処理を中止する（Ｓ３７）。そして、印刷処理を中止したことを画像データ受信装置１に通知するために印刷中止情報を画像データ受信装置１に転送する（Ｓ３８）。
【００５２】
これに対し、画像データ受信装置１の制御部２は、Ｓ２５の処理後プリンタ装置２２から印刷中止情報を受信したか否かを判断し（Ｓ２６）、印刷中止情報を受信していない場合には（Ｓ２６：ＮＯ）、印刷完了情報を受信したか否か判断する（Ｓ２７）。すなわち、プリンタ装置２２に転送したファクシミリ受信原稿のプリントデータの印刷処理が完了したか否か判断する。ここで、印刷完了情報を受信していないと判断した場合には（Ｓ２７：ＮＯ）、Ｓ２５の処理を継続して行う。逆に、印刷完了情報を受信したと判断した場合には（Ｓ２７：ＹＥＳ）、Ｓ２３において格納していたファクシミリ受信原稿のプリントデータを消去する（Ｓ２８）。
【００５３】
一方、制御部２は、プリンタ装置２２においてＳ３８の処理が行われたことによりＳ２６において印刷中止情報を受信したと判断した場合（Ｓ２６：ＹＥＳ）、Ｓ２３で画像メモリ１０に格納しておいたプリントデータを読出し、再度プリントデータと共に表示コマンドをプリンタ装置２２に転送する（Ｓ２４）。なお、ここでプリントデータと共に転送する表示コマンドは、プリンタ装置２２の液晶表示装置３６に「ファクシミリ受信原稿のリプリント中です」など、プリンタ装置２２における１回目の印刷処理中に表示されていた情報と異なる情報を表示させるためのコマンドであってもよい。
【００５４】
以上説明したように、画像データ受信装置１は、プリンタ装置２２にプリントデータを転送した後も、同プリントデータを画像メモリ１０にそのまま格納しているので、例えユーザがファクシミリ受信原稿のプリント中であるということに気付かずに操作部３３のジョブキャンセルキーを押下してしまったとしても、再度プリントデータを転送して印刷処理を行わせるので、ファクシミリ受信原稿の画像を用紙に記録する処理をプリンタ装置２２に確実に行わせることができる。したがって、プリンタ装置２２において操作部３３のジョブキャンセルキーが押下されたことにより、ファクシミリ受信原稿のデータが消去されてユーザがファクシミリ受信原稿の内容を確認できなくなるといった問題が生じるのを防止することができる。
【００５５】
なお、画像データ受信装置１が外部から受信する画像データは、ファクシミリ受信した画像データに限定されるものではなく、画像データ受信装置１を操作するユーザの手元に原稿が存在しないデータであれば他のものであってもよい。例えば、画像データ受信装置１にインターネットファクシミリ機能を備えて、インターネットファクシミリ機能により外部から受信した画像データについて、プリンタ装置２２において操作部３３のジョブキャンセルキーが押下された場合にプリントデータを再転送する処理を行うことも当然可能である。また、所定データ転送インターフェースはＵＳＢに限定されるものではなく、例えばＬＡＮなどであってもよい。
【００５６】
以下、本発明の第２の実施形態について説明する。この第２の実施形態における画像データ受信装置は、第１の実施形態における画像データ受信装置１と同様に構成された装置であり、異なる点についてのみ以下で説明する。本実施形態における画像データ受信装置１は、第１の実施形において説明したような画像メモリ１０に格納しておく処理は行わず、ファクシミリ受信原稿のプリントデータ及び表示コマンドに加えて、無効コマンドをプリンタ装置２２に転送する。ここで、無効コマンドは、プリンタ装置２２の操作部３３のジョブキャンセルキーが押下された場合でも、プリンタ装置２２において印刷中止が許可されないようにするためのコマンドである。
【００５７】
以下、画像データ受信装置１が外部からファクシミリ送信された画像データを受信した場合に、この画像データ受信装置１及びプリンタ装置２２において行われる処理動作について、図７および図８に示すフローチャートに基づいて説明する。画像データ受信装置１の制御部２は、外部からファクシミリ送信された画像データを受信したか否かを判断する（Ｓ４１）。そして、外部からファクシミリ送信された画像データを受信したと判断した場合（Ｓ４１：ＹＥＳ）、受信した画像データに基づいてプリントデータを生成する（Ｓ４２）。具体的には、受信して画像メモリ１０に一時的に蓄積された画像データをコーデック９において復号し、復号された画像データを画像メモリ１０の所定領域に一旦格納する。そして、この画像メモリ１０に格納された画像データをＰＤＬ変換回路１４において変換して所定のＰＬＤによって表されるプリントデータを生成する。
【００５８】
そして、制御部２は生成されたプリントデータ、表示コマンド、及び無効コマンドをＵＳＢケーブル２４を介してプリンタ装置２２に転送する処理をＵＳＢホストコントローラ１５に行わせる（Ｓ４３）。それに伴い、ファクシミリ受信原稿の印刷中である旨の情報を液晶表示装置１７に表示させる（Ｓ４４）。具体的には、ＲＡＭ４に格納されている表示用データを読み出して、「ファクシミリ受信原稿のプリント中です」等のメッセージを表示させる。
【００５９】
一方、プリンタ装置２２の制御部２６は、画像データ受信装置１から転送されたファクシミリ受信原稿のプリントデータ、表示コマンド、及び無効コマンドを受信すると（Ｓ５１）、ファクシミリ受信原稿のプリントデータの印刷処理を開始する（Ｓ５２）。そして、Ｓ５２の印刷処理を行うと共に、表示コマンドに基づいて液晶表示装置３６に情報を表示させる（Ｓ５３）。ここでは、画像データ受信装置１から転送されたプリントデータは、該画像データ受信装置１がファクシミリ受信した画像データに基づいて生成されたものであるため、例えば「ファクシミリ受信原稿のプリント中です」等のメッセージを表示させる。
【００６０】
続いて、制御部２６は操作部３３のジョブキャンセルキーが押下されたか否かに基づいて、印刷中止命令が入力されたか否かを判断する（Ｓ５４）。ここで、印刷中止命令が入力された場合には（Ｓ５４：ＹＥＳ）、例えば「ファクシミリ受信原稿のプリントは中止できません」などの印刷処理を中止できない旨の情報を液晶表示装置３６に表示させる（Ｓ５５）。なお、この表示と共にスピーカ３８から所定の警告音を鳴動させるようにしてもよい。そして、Ｓ５２において開始したプリントデータの印刷処理が完了したか否かを判断し（Ｓ５６）、完了したと判断した場合には（Ｓ５６：ＹＥＳ）、印刷完了情報を画像データ受信装置１に転送する（Ｓ５７）。また、印刷処理が完了していないと判断した場合には（Ｓ５６：ＮＯ）、Ｓ５３の処理を継続して行う。
【００６１】
これに対し、画像データ受信装置１の制御部２は、Ｓ４４の処理後、印刷完了情報を受信したか否か判断する（Ｓ４５）。ここで、印刷完了情報を受信していないと判断した場合には（Ｓ４５：ＮＯ）、印刷完了情報を受信するまでＳ４４の処理を継続して行う。
【００６２】
このように、画像データ受信装置１は、プリントデータ及び表示コマンドに加え、無効コマンドをプリンタ装置２２に対して転送することにより、ファクシミリ受信原稿のプリントデータの画像を用紙に記録する処理をプリンタ装置２２に確実に行わせることができる。
【００６３】
以下、本発明の第３の実施形態について説明する。この第３の実施形態における画像データ受信装置は、第１の実施形態における画像データ受信装置１と同様に構成された装置であり、異なる点についてのみ以下で説明する。本実施形態における画像データ受信装置１は、第１の実施形においてプリンタ装置２２におけるプリントデータの印刷処理が完了するまでの間、プリントデータを画像メモリ１０に格納しておく処理の代わりに、ファクシミリ受信原稿のプリントデータ及び表示コマンドに加えて、暗証番号データをプリンタ装置２２へ転送する。ここで、暗証番号データは、プリンタ装置２２の操作部３３のジョブキャンセルキーが押下された場合に、プリンタ装置２２における印刷処理の中止命令を許可するか否かを判断するためのものであり、プリンタ装置２２は、操作部３３のジョブキャンセルキーが押下された後に暗証番号データと同じ暗証番号が操作部３３から入力された場合にのみプリントデータの印刷処理を中止する。なお、画像データ受信装置１から転送された暗証番号データは、プリンタ装置２２のＲＡＭ２８に格納される。
【００６４】
以下、画像データ受信装置１が外部からファクシミリ送信された画像データを受信した場合に、この画像データ受信装置１及びプリンタ装置２２において行われる処理動作について、図９および図１０に示すフローチャートに基づいて説明する。画像データ受信装置１の制御部２は、外部からファクシミリ送信された画像データを受信したか否か判断する（Ｓ６１）。そして、外部からファクシミリ送信された画像データを受信したと判断した場合（Ｓ６１：ＹＥＳ）、受信した画像データに基づいてプリントデータを生成する（Ｓ６２）。具体的には、受信して画像メモリ１０に一時的に蓄積された画像データをコーデック９において復号し、復号した画像データを画像メモリ１０の所定領域に一旦格納し、画像メモリ１０に格納された画像データをＰＤＬ変換回路１４において変換して所定のＰＬＤによって表されるプリントデータを生成する。
【００６５】
そして、制御部２は生成されたプリントデータ、表示コマンド、及び暗証番号データをＵＳＢケーブル２４を介してプリンタ装置２２に転送する処理をＵＳＢホストコントローラ１５に行わせる（Ｓ６３）。それに伴い、ファクシミリ受信原稿の印刷中である旨の情報を液晶表示装置１７に表示させる（Ｓ６４）。具体的には、ＲＡＭ４に格納されている表示用データを読み出して、例えば「ファクシミリ受信原稿のプリント中です」等のメッセージを表示させる。
【００６６】
一方、プリンタ装置２２の制御部２６は、画像データ受信装置１から転送されたファクシミリ受信原稿のプリントデータ、表示コマンド、及び暗証番号データを受信すると（Ｓ７１）、ファクシミリ受信原稿のプリントデータの印刷処理を開始する（Ｓ７２）。そして、Ｓ７２の印刷処理を行うと共に、表示コマンドに基づいて液晶表示装置３６に情報を表示させる（Ｓ７３）。ここでは、画像データ受信装置１から転送されたプリントデータは、該画像データ受信装置１が外部からファクシミリ受信した画像データに基づいて生成されたものであるため、例えば「ファクシミリ受信原稿のプリント中です」等のメッセージを表示させる。
【００６７】
続いて、制御部２６は操作部３３のジョブキャンセルキーが押下されたか否かに基づいて、印刷中止命令が入力されたか否かを判断する（Ｓ７４）。ここで、印刷中止命令が入力されていないと判断した場合には（Ｓ７４：ＮＯ）、Ｓ７２において開始したプリントデータの印刷処理が完了したか否かを判断し（Ｓ７５）、印刷処理が完了したと判断した場合には（Ｓ７５：ＹＥＳ）、印刷完了情報を画像データ受信装置１に転送する（Ｓ７６）。一方、印刷処理が完了していないと判断した場合には（Ｓ７５：ＮＯ）、Ｓ７３の処理を継続して行う。
【００６８】
また、制御部２６はＳ７４において印刷中止命令が入力されたと判断した場合には（Ｓ７４：ＹＥＳ）、例えば「暗証番号を入力してください」等の暗証番号の入力を要求する情報を液晶表示装置３６に表示させる（Ｓ７７）。そして、暗証番号が入力されたか否か判断し（Ｓ７８）、暗証番号が入力されたと判断した場合には（Ｓ７８：ＹＥＳ）、入力された暗証番号が画像データ受信装置１から転送された暗証番号データのものと一致するか否かを判断し（Ｓ７９）、一致すると判断した場合には（Ｓ７９：ＹＥＳ）、印刷処理を中止し（Ｓ８０）、印刷中止情報を画像データ受信装置１に転送する（Ｓ８１）。一方、ユーザによって暗証番号が入力されなかった場合（Ｓ７８：ＮＯ）、及び入力された暗証番号が画像データ受信装置１から転送された暗証番号データのものと一致しないと判断した場合には（Ｓ７９：ＮＯ）、印刷中止命令を受付けることなくＳ７３の処理を継続して行う。
【００６９】
これに対し、画像データ受信装置１の制御部２は、Ｓ６４の処理後、印刷中止情報を受信したか否か判断する（Ｓ６５）。ここで、印刷中止情報を受信していないと判断した場合には（Ｓ６５：ＮＯ）、印刷完了情報を受信したか否か判断し（Ｓ６６）、印刷完了情報を受信していないと判断した場合には（Ｓ６６：ＮＯ）、Ｓ６４の処理を継続して行う。また、Ｓ６５において印刷中止情報を受信したと判断した場合には（Ｓ６５：ＹＥＳ）、例えば「ファクシミリ受信原稿の印刷が中止されました」等のファクシミリ受信原稿の印刷が中止された旨の情報を液晶表示装置１７に表示させる（Ｓ６７）。
【００７０】
このように、画像データ受信装置１は、プリントデータ及び表示コマンドに加え、暗証番号データをプリンタ装置２２に対して転送する処理を行い、プリンタ装置２２ではユーザによって正しい暗証番号が入力された場合にのみプリントデータの印刷中止命令が受付けられるので、ファクシミリ受信原稿のプリントデータの印刷処理がユーザの誤操作で中止されてしまうのを防止することができる。
【産業上の利用可能性】
【００７１】
外部から画像データを受信する画像データ受信装置において、受信した画像データをＵＳＢ等の所定データ転送インターフェースを介してプリンタ装置に転送して印刷処理を行わせる画像データ受信装置に適用可能である。
【図面の簡単な説明】
【００７２】
【図１】画像データ受信装置の構成を示したブロック図である。
【図２】プリンタ装置の構成を示したブロック図である。
【図３】原稿の画像を読取ってプリンタ装置で印刷する場合に、画像データ受信装置において行われる処理動作を示したフローチャートである。
【図４】プリンタ装置において、画像データ受信装置の原稿読取部で読取られた原稿のプリントデータを受信した場合に行われる処理動作を示したフローチャートである。
【図５】本発明の第１の実施形態に係る画像データ受信装置において、ファクシミリ受信した原稿の画像をプリンタ装置において用紙に記録させる場合に行われる処理動作を示したフローチャートである。
【図６】プリンタ装置において、第１の実施形態に係る画像データ受信装置がファクシミリ受信した原稿のプリンタデータの印刷処理を行う場合の処理動作を示したフローチャートである。
【図７】本発明の第２の実施形態に係る画像データ受信装置において、ファクシミリ受信した原稿の画像をプリンタ装置において用紙に記録させる場合に行われる処理動作を示したフローチャートである。
【図８】プリンタ装置において、第２の実施形態に係る画像データ受信装置がファクシミリ受信した原稿のプリンタデータの印刷処理を行う場合の処理動作を示したフローチャートである。
【図９】本発明の第３の実施形態に係る画像データ受信装置において、ファクシミリ受信した原稿の画像をプリンタ装置において用紙に記録させる場合に行われる処理動作を示したフローチャートである。
【図１０】プリンタ装置において、第３の実施形態に係る画像データ受信装置がファクシミリ受信した原稿のプリンタデータの印刷処理を行う場合の処理動作を示したフローチャートである。
【符号の説明】
【００７３】
１    画像データ受信装置
２、２６    制御部（ＭＰＵ）
３、２７    ＲＯＭ
４、２８    ＲＡＭ
９    コーデック
１０、３０    画像メモリ
１３    通信部
１４    ＰＤＬ変換回路
１５    ＵＳＢホストコントローラ
１７、３６    液晶表示装置
１９    モデム
２０    ＮＣＵ
２１    ＰＳＴＮ
２２    プリンタ装置
２３    ＵＳＢポート
２４    ＵＳＢケーブル
２９    入力回路
３１    ＰＤＬ展開回路
３２    プリント部
３３    操作部
【図１】
2005136819.tif 000003
【図２】
2005136819.tif 000004
【図３】
2005136819.tif 000005
【図４】
2005136819.tif 000006
【図５】
2005136819.tif 000007
【図６】
2005136819.tif 000008
【図７】
2005136819.tif 000009
【図８】
2005136819.tif 000010
【図９】
2005136819.tif 000011
【図１０】
2005136819.tif 000012